(57)【要約】  【課題】  接続装置の設置作業を効率良く行うことができ、自動登録と同時に加入者がＩＰ電話のサービスを利用できるＩＰ電話システムを提供する。  【解決手段】  加入者宅に設置されたゲートウェイ装置２を識別するための加入者情報を、ＩＰネットワーク１に接続されたＩＰ電話システム管理装置３のデータベース１１に登録する際、ゲートウェイ装置２はＤＨＣＰサーバ５からＩＰアドレスを取得し、ＩＰネットワーク１を介してＩＰ電話システム管理装置３に、取得したＩＰアドレスをＭＡＣアドレスとともに通知する。ＩＰ電話システム管理装置３は、ＭＡＣアドレスの一致する加入者情報のレコードに、通知されたＩＰアドレスを登録する。ＩＰアドレスが登録されたゲートウェイ装置２に対し、ＩＰ電話サービスの利用許可を設定するとともに、その他の加入者情報を通知する。【選択図】  図１
2006067273.tif 000002
【特許請求の範囲】
【請求項１】
加入者側に設置されて呼制御および音声伝送を行うとともに第１の加入者情報を記憶する接続装置と、前記接続装置を識別するための第２の加入者情報をデータベースとして管理する管理装置とを備え、前記接続装置および前記管理装置が接続されたネットワークを介してＩＰ電話サービスを提供するＩＰ電話システムであって、
前記接続装置から前記第１の加入者情報に含まれる前記接続装置の固有情報およびネットワークアドレスを、前記ネットワークを介して前記管理装置に通知するアドレス通知手段と、
前記通知された固有情報と前記第２の加入者情報に含まれる固有情報とを照合し、照合の結果両者が一致する場合、前記第１の加入者情報に含まれるネットワークアドレスを前記第２の加入者情報に登録するアドレス登録手段と、
前記ネットワークアドレスが登録された接続装置に対し、ＩＰ電話サービスの利用許可を設定する設定手段と
を備えるＩＰ電話システム。
【請求項２】
請求項１に記載のＩＰ電話システムであって、
前記第２の加入者情報には、前記接続装置が加入者側に設置される前に、前記固有情報および付帯情報が登録され、
前記アドレス通知手段は、前記接続装置が加入者側に設置された後、前記固有情報およびネットワークアドレスを前記管理装置に通知するものであり、
前記ネットワークアドレスが登録された接続装置に対し、前記付帯情報を通知する付帯情報通知手段を備えるＩＰ電話システム。
【請求項３】
請求項１に記載のＩＰ電話システムであって、
前記ネットワークアドレスが登録された接続装置に前記管理装置から前記ＩＰ電話サービスの利用許可を通知する許可通知手段を備えるＩＰ電話システム。
【請求項４】
請求項１に記載のＩＰ電話システムであって、
前記接続装置は、前記ネットワークに接続されたＤＨＣＰサーバから前記ネットワークアドレスを取得するアドレス取得手段を備えるＩＰ電話システム。
【請求項５】
請求項１に記載のＩＰ電話システムであって、
前記接続装置に付与された前記固有情報を読み取る読取手段を備え、
前記管理装置は、前記読み取られた固有情報を前記第２の加入者情報に登録する固有情報登録手段を備えるＩＰ電話システム。
【請求項６】
請求項１に記載のＩＰ電話システムであって、
前記接続装置は、前記アドレス通知手段によって通知される固有情報およびネットワークアドレスを暗号化する暗号化手段を備え、
前記管理装置は、前記暗号化された固有情報およびネットワークアドレスを復号化する復号化手段を備えるＩＰ電話システム。
【請求項７】
加入者側に設置されて呼制御および音声伝送を行うとともに第１の加入者情報を記憶する接続装置と、前記接続装置を識別するための第２の加入者情報をデータベースとして管理する管理装置とを備え、前記接続装置および前記管理装置が接続されたネットワークを介してＩＰ電話サービスを提供するＩＰ電話システムの加入者情報登録方法であって、
前記接続装置から前記第１の加入者情報に含まれる前記接続装置の固有情報およびネットワークアドレスを、前記ネットワークを介して前記管理装置に通知するアドレス通知ステップと、
前記通知された固有情報と前記第２の加入者情報に含まれる固有情報とを照合し、照合の結果両者が一致する場合、前記第１の加入者情報に含まれるネットワークアドレスを前記第２の加入者情報に登録するアドレス登録ステップと、
前記ネットワークアドレスが登録された接続装置に対し、ＩＰ電話サービスの利用許可を設定する設定ステップと
を有する加入者情報登録方法。
【請求項８】
加入者側に設置されて呼制御および音声伝送を行うとともに第１の加入者情報を記憶するもので、第２の加入者情報をデータベースとして管理する管理装置とともにネットワークに接続されてＩＰ電話システムを構築する接続装置であって、
前記ネットワークに接続されたＤＨＣＰサーバからネットワークアドレスを取得するアドレス取得手段と、
前記取得したネットワークアドレスを、前記第１の加入者情報に含まれる接続装置の固有情報とともに前記管理装置に通知する通知手段と、
前記通知されたネットワークアドレスが前記第２の加入者情報に登録されたことに応答して、前記管理装置から通知されるＩＰ電話サービスの利用許可を取得する許可取得手段と
を備える接続装置。
【請求項９】
加入者側に設置されて呼制御および音声伝送を行うとともに第１の加入者情報を記憶する接続装置を識別するための、第２の加入者情報をデータベースとして管理するもので、前記接続装置とともにネットワークに接続されてＩＰ電話システムを構築する管理装置であって、
前記第２の加入者情報に前記接続装置の固有情報および付帯情報を登録する情報登録手段と、
前記接続装置から通知された固有情報およびネットワークアドレスを取得する取得手段と、
前記通知された固有情報と前記登録された固有情報とを照合し、照合の結果両者が一致する場合、前記通知されたネットワークアドレスを前記第２の加入者情報に登録するアドレス登録手段と、
前記ネットワークアドレスが登録された接続装置に対し、ＩＰ電話サービスの利用許可を設定して送信する設定手段と
を備える管理装置。
【請求項１０】
コンピュータに、請求項１〜６のいずれかに記載のＩＰ電話システムの各手段の機能を実現させるためのプログラム。  
【発明の詳細な説明】
【技術分野】
【０００１】
本発明は、ネットワーク上で電話交換および音声伝送を行うＩＰ電話システム、およびその加入者情報登録方法に関する。
【背景技術】
【０００２】
従来、ＩＰ（Internet Protocol ）ネットワーク上で電話交換および音声伝送を行うＶｏＩＰ（Voice over IP）技術を利用したＩＰ電話システムにおいて、ネットワークサービスに接続される機器の加入者情報を登録する際、現場技術者による登録作業の負担や入力ミスを解消するために、次のような手順で登録が行われていた。
【０００３】
加入者は、登録する機器にパーソナルコンピュータを接続してその機器をネットワークに接続し、登録に必要な情報をパーソナルコンピュータから入力していた。一方、サービス業者は、加入者情報データベースを用意し、このデータベースに予め登録された情報と入力された情報とを照合しながら機器の自動登録を行い、その後にサービス利用許可を設定していた（例えば、特許文献１参照）。
【０００４】
具体的には、ＩＰ電話システムに用いられる接続装置となる機器は、ＶｏＩＰゲートウェイ装置（以下、単にゲートウェイ装置という）であり、加入者情報として、機器毎にユニークなＭＡＣアドレス、ＩＰアドレス、電話番号、ゲートウェイ番号などがゲートウェイ装置に付与される。そして、加入者情報におけるサービス業者側と加入者側の対応付けを管理する必要があった。
【０００５】
【特許文献１】特表２００１−５２７３２７号公報
【発明の開示】
【発明が解決しようとする課題】
【０００６】
しかしながら、上記従来のＩＰ電話システムでは、接続装置となる機器を登録する際、パーソナルコンピュータを使用するので、加入者宅にパーソナルコンピュータが存在しない場合、ＩＰ電話システムのゲートウェイ装置の加入者情報を自動登録できないという課題があった。さらに、加入者情報の登録が終わっても、サービス業者が利用許可を設定するまで、加入者はサービスを利用できないという課題があった。
【０００７】
一方、サービス業者側では、ＣＡＴＶインターネットを始めとする広域ＩＰ電話システムを構築する場合、数百から数万台のゲートウェイ装置の加入者情報を設定する必要があり、設置時の番号付与や対応付けの管理が困難であった。
【０００８】
本発明は、上記事情に鑑みてなされたもので、接続装置の加入者情報を自動登録することで、その設置作業を効率良く行うことが可能なＩＰ電話システムおよびその加入者情報登録方法を提供することを目的とする。また、加入者情報の自動登録と同時に加入者がＩＰ電話のサービスを利用することが可能なＩＰ電話システムおよびその加入者情報登録方法を提供することを目的とする。
【課題を解決するための手段】
【０００９】
本発明の第１の発明は、加入者側に設置されて呼制御および音声伝送を行うとともに第１の加入者情報を記憶する接続装置と、前記接続装置を識別するための第２の加入者情報をデータベースとして管理する管理装置とを備え、前記接続装置および前記管理装置が接続されたネットワークを介してＩＰ電話サービスを提供するＩＰ電話システムであって、前記接続装置から前記第１の加入者情報に含まれる前記接続装置の固有情報およびネットワークアドレスを、前記ネットワークを介して前記管理装置に通知するアドレス通知手段と、前記通知された固有情報と前記第２の加入者情報に含まれる固有情報とを照合し、照合の結果両者が一致する場合、前記第１の加入者情報に含まれるネットワークアドレスを前記第２の加入者情報に登録するアドレス登録手段と、前記ネットワークアドレスが登録された接続装置に対し、ＩＰ電話サービスの利用許可を設定する設定手段とを備えるものである。
この構成により、接続装置の加入者情報を容易に自動登録することができ、接続装置の設置作業を効率良く行うことが可能となる。また、自動登録と同時に加入者がＩＰ電話のサービスを利用可能となる。
【００１０】
第２の発明は、上記のＩＰ電話システムであって、前記第２の加入者情報には、前記接続装置が加入者側に設置される前に、前記固有情報および付帯情報が登録され、前記アドレス通知手段は、前記接続装置が加入者側に設置された後、前記固有情報およびネットワークアドレスを前記管理装置に通知するものであり、前記ネットワークアドレスが登録された接続装置に対し、前記付帯情報を通知する付帯情報通知手段を備えるものである。
この構成により、接続装置に付帯情報を自動設定することが可能となる。
【００１１】
第３の発明は、上記のＩＰ電話システムであって、前記ネットワークアドレスが登録された接続装置に前記管理装置から前記ＩＰ電話サービスの利用許可を通知する許可通知手段を備えるものである。
この構成により、加入者側では即座にサービスの利用許可を知ることが可能である。
【００１２】
第４の発明は、上記のＩＰ電話システムであって、前記接続装置は、前記ネットワークに接続されたＤＨＣＰサーバから前記ネットワークアドレスを取得するアドレス取得手段を備えるものである。
この構成により、例えば、ＤＨＣＰサーバと連携するＤＮＳサーバのダイナミックＤＮＳ機能を利用し、固有情報をホスト名とするＥｎｄｐｏｉｎｔＩＤを自動設定することにより、ＭＧＣＰ方式の呼制御を行うことが可能となる。
【００１３】
第５の発明は、上記のＩＰ電話システムであって、前記接続装置に付与された前記固有情報を読み取る読取手段を備え、前記管理装置は、前記読み取られた固有情報を前記第２の加入者情報に登録する固有情報登録手段を備えるものである。
この構成により、現場技術者による加入者情報の登録作業の負担を軽減し、また入力ミスを防止可能となる。
【００１４】
第６の発明は、上記のＩＰ電話システムであって、前記接続装置は、前記アドレス通知手段によって通知される固有情報およびネットワークアドレスを暗号化する暗号化手段を備え、前記管理装置は、前記暗号化された固有情報およびネットワークアドレスを復号化する復号化手段を備えるものである。
この構成により、管理装置は、接続装置から通知された暗号化情報を認証した後に利用することが可能となる。
【００１５】
第７の発明は、加入者側に設置されて呼制御および音声伝送を行うとともに第１の加入者情報を記憶する接続装置と、前記接続装置を識別するための第２の加入者情報をデータベースとして管理する管理装置とを備え、前記接続装置および前記管理装置が接続されたネットワークを介してＩＰ電話サービスを提供するＩＰ電話システムの加入者情報登録方法であって、前記接続装置から前記第１の加入者情報に含まれる前記接続装置の固有情報およびネットワークアドレスを、前記ネットワークを介して前記管理装置に通知するアドレス通知ステップと、前記通知された固有情報と前記第２の加入者情報に含まれる固有情報とを照合し、照合の結果両者が一致する場合、前記第１の加入者情報に含まれるネットワークアドレスを前記第２の加入者情報に登録するアドレス登録ステップと、前記ネットワークアドレスが登録された接続装置に対し、ＩＰ電話サービスの利用許可を設定する設定ステップとを有するものである。
この手順により、接続装置の加入者情報を容易に自動登録することができ、接続装置の設置作業を効率良く行うことが可能となる。また、自動登録と同時に加入者がＩＰ電話のサービスを利用可能となる。
【００１６】
第８の発明は、加入者側に設置されて呼制御および音声伝送を行うとともに第１の加入者情報を記憶するもので、第２の加入者情報をデータベースとして管理する管理装置とともにネットワークに接続されてＩＰ電話システムを構築する接続装置であって、前記ネットワークに接続されたＤＨＣＰサーバからネットワークアドレスを取得するアドレス取得手段と、前記取得したネットワークアドレスを、前記第１の加入者情報に含まれる接続装置の固有情報とともに前記管理装置に通知する通知手段と、前記通知されたネットワークアドレスが前記第２の加入者情報に登録されたことに応答して、前記管理装置から通知されるＩＰ電話サービスの利用許可を取得する許可取得手段とを備えるものである。
この構成により、接続装置の加入者情報を管理装置において容易に自動登録することができ、接続装置の設置作業を効率良く行うことが可能となる。また、自動登録と同時に加入者がＩＰ電話のサービスを利用可能となる。
【００１７】
第９の発明は、加入者側に設置されて呼制御および音声伝送を行うとともに第１の加入者情報を記憶する接続装置を識別するための、第２の加入者情報をデータベースとして管理するもので、前記接続装置とともにネットワークに接続されてＩＰ電話システムを構築する管理装置であって、前記第２の加入者情報に前記接続装置の固有情報および付帯情報を登録する情報登録手段と、前記接続装置から通知された固有情報およびネットワークアドレスを取得する取得手段と、前記通知された固有情報と前記登録された固有情報とを照合し、照合の結果両者が一致する場合、前記通知されたネットワークアドレスを前記第２の加入者情報に登録するアドレス登録手段と、前記ネットワークアドレスが登録された接続装置に対し、ＩＰ電話サービスの利用許可を設定して送信する設定手段とを備えるものである。
この構成により、接続装置に設定記憶された加入者情報を容易に自動登録することができ、接続装置における設置作業を効率良く行うことが可能となる。また、自動登録と同時に加入者がＩＰ電話のサービスを利用可能となる。
【００１８】
第１０の発明は、コンピュータに、上記いずれかに記載のＩＰ電話システムの各手段の機能を実現させるためのプログラムを提供する。
上記プログラムにより、接続装置の加入者情報を容易に自動登録することができ、接続装置の設置作業を効率良く行うことが可能となる。また、自動登録と同時に加入者がＩＰ電話のサービスを利用可能となる。
【発明の効果】
【００１９】
本発明によれば、接続装置の加入者情報を自動登録することで、その設置作業を効率良く行うことが可能なＩＰ電話システムおよびその加入者情報登録方法を提供できる。また、本発明によれば、加入者情報の自動登録と同時に加入者がＩＰ電話のサービスを利用することが可能なＩＰ電話システムおよびその加入者情報登録方法を提供できる。
【発明を実施するための最良の形態】
【００２０】
本実施形態では、インターネット等の広域のＩＰネットワークを用いて構成するＩＰ電話システム、およびその加入者情報登録方法、並びに管理装置および接続装置の構成例を示す。
【００２１】
図１は本発明の実施形態におけるＩＰ電話システムの構成を示すブロック図である。このＩＰ電話システムは、加入者宅に設置され、呼制御や音声伝送を行うＶｏＩＰゲートウェイ装置（以下、単にゲートウェイ装置という）２、加入者情報を管理するＩＰ電話システム管理装置３の他、ＤＨＣＰ（Dynamic Host Configuration Protocol ）サーバ５、ＤＮＳ（Domain Name System）サーバ６、呼制御サーバ７、およびパーソナルコンピュータ８がＩＰネットワーク１に接続された構成を有する。
【００２２】
ＤＨＣＰサーバ５は、ゲートウェイ装置２がＩＰネットワーク１に接続されると、ＩＰアドレスを自動的に付与する。ＤＮＳサーバ６は、ＩＰアドレスをホスト名と対応付けて管理する。呼制御サーバ７は、電話番号をＩＰアドレスに変換して相手先に接続する機能を有する。パーソナルコンピュータ８は汎用のものであり、このパーソナルコンピュータ８には、ＵＳＢ（Universal Serial Bus）やＲＳ−２３２Ｃ等のインタフェースを介して読取手段の一例に相当するバーコードリーダ９が接続されている。このバーコードリーダ９で読み取られたデータは、ＩＰネットワーク１を介してＩＰ電話システム管理装置３に送信される。また、ゲートウェイ装置２には、電話機４が接続されている。
【００２３】
図２はＩＰ電話システム管理装置３の構成を示すブロック図である。ＩＰ電話システム管理装置３は、管理装置の一例に相当するもので、ゲートウェイ装置２を識別するための加入者情報が登録されたデータベース１１、ＩＰネットワーク１に対してデータの送受信を行う送受信部１２、および周知のＣＰＵ、ＲＯＭ、ＲＡＭ等からなり、全体の制御を行う制御部１３から構成される。データベース１１には、第２の加入者情報として、ゲートウェイ番号、ＭＡＣ（Media Access Control）アドレス、ＩＰアドレス、電話番号、加入者の氏名、住所、および詳細設定情報が登録される（図５（Ａ）参照）。前記ＭＡＣアドレスが接続装置の固有情報に相当する。また、前記ゲートウェイ番号、電話番号および詳細設定情報が付帯情報に相当する。このＩＰ電話システム管理装置３は、アドレス登録手段、設定手段、付帯情報通知手段、許可通知手段、復号化手段、固有情報登録手段の各機能を有している。
【００２４】
図３はゲートウェイ装置２の構成を示すブロック図である。ゲートウェイ装置２は、接続装置の一例に相当するもので、加入者情報記憶部２１、ＩＰネットワーク１に対してデータの送受信を行う送受信部２２、加入者の電話機４に接続され、音声を伝送する音声伝送部２３、および周知のＣＰＵ、ＲＯＭ、ＲＡＭ等からなり、全体の制御を行う制御部２４から構成される。このゲートウェイ装置２は、アドレス通知手段、アドレス取得手段、暗号化手段の各機能を有している。
【００２５】
加入者情報記憶部２１には、第１の加入者情報として、便宜的に付与されたゲートウェイ番号、ゲートウェイ装置固有のＭＡＣアドレス、ゲートウェイ装置のＩＰアドレス、加入者の電話番号、および音声コーデック設定およびパケット化周期設定を含む詳細設定情報が登録される（図７（Ａ）参照）。また、制御部２４内のＲＯＭには、ＩＰ電話システム管理装置３のホスト名が記憶されており、このホスト名はＤＮＳサーバ６によってＩＰアドレスと照合される。なお、制御部２４内のＲＯＭに、ホスト名の代わりにＩＰ電話システム管理装置のＩＰアドレスを直接記憶させてもよい。
【００２６】
次に、上記構成を有するＩＰ電話システムにおける加入者情報の登録処理を説明する。図４はＩＰ電話システム管理装置における加入者情報登録処理手順を示すフローチャートである。この処理プログラムは、制御部１３内のＲＯＭに格納されており、制御部１３内のＣＰＵによって実行される。図５はＩＰ電話システム管理装置３内のデータベース１１の登録内容を示す図である。前述したように、データベース１１は、加入者情報として、ゲートウェイ番号、ＭＡＣアドレス、ＩＰアドレス、電話番号、加入者の氏名、住所および詳細設定情報がレコード単位に設けられた構造を有する。初期状態では、図５（Ａ）に示すように、ゲートウェイ番号をキーとする各レコードには、何も登録されていない。
【００２７】
まず、作業者によって入力される、ゲートウェイ装置２の設置先である加入者の電話番号、氏名、住所および詳細設定情報をデータベース１１に事前に登録する（ステップＳ１）。図５（Ｂ）では、加入者情報として加入者に関する情報の事前登録が行われている。なお、この時点では、加入者宅に設置されるか否かは未決定である。
【００２８】
そして、加入者宅に設置されることが決まると、作業者は、工場出荷時、在庫の中から任意の１台のゲートウェイ装置２を選択し、パーコードリーダ９を操作して選択されたゲートウェイ装置２に付与されているバーコードからＭＡＣアドレスをパーソナルコンピュータ８に読み込む。読み込まれたＭＡＣアドレスは、ＩＰネットワーク１を介してパーソナルコンピュータ８からＩＰ電話システム管理装置３に転送される。ＩＰ電話システム管理装置３では、この転送されたＭＡＣアドレスを、データベース１１において既に登録された加入者宅のデータのＭＡＣアドレス欄にゲートウェイ番号をキーとして登録する（ステップＳ２）。図５（Ｃ）では、加入者情報にＭＡＣアドレスが登録されている。
【００２９】
この後、ＩＰ電話システム管理装置３では、加入者宅に設置されたゲートウェイ装置２からＭＡＣアドレスおよびＩＰアドレスが通知されるのを待ち、通知されると、データベース１１に登録されたＭＡＣアドレスと通知されたＭＡＣアドレスとを照合し、一致するレコードに通知されたＩＰアドレスを登録する（ステップＳ３）。図５（Ｄ）では、通知されたＩＰアドレスが加入者情報に登録されている。ＩＰアドレスが加入者情報に登録されると、ゲートウェイ装置２に対し、ＩＰ電話サービスの利用を許可するとともに、ゲートウェイ番号、電話番号、詳細設定情報およびサービス利用許可を送信する（ステップＳ４）。なお、呼制御サーバ７に対しては、サービス利用許可は通知されない。そして、本処理を終了する。
【００３０】
図６はゲートウェイ装置２の加入者情報登録処理手順を示すフローチャートである。この処理プログラムは、制御部２４内のＲＯＭに格納されており、制御部２４内のＣＰＵによって実行される。図７はゲートウェイ装置２の加入者情報記憶部２１に記憶された加入者情報の登録内容を示す図である。加入者情報記憶部２１には、前述したように、加入者情報のレコードとして、ゲートウェイ番号、ＭＡＣアドレス、ＩＰアドレス、電話番号および詳細設定情報が登録されている。初期状態では、図７（Ａ）に示すように、ＭＡＣアドレス以外、何も登録されていない。
【００３１】
加入者がゲートウェイ装置２を加入者宅に設置し、ＩＰネットワーク１に接続すると、ゲートウェイ装置２は、ＤＨＣＰサーバ５からＩＰアドレスを取得し、取得したＩＰアドレスを加入者情報のレコードに登録する（ステップＳ１１）。図７（Ｂ）では、加入者情報のレコードに、取得したＩＰアドレスが登録されている。この時点で、ゲートウェイ装置２には、ＩＰアドレスが付与されているので、ゲートウェイ装置２はＩＰ電話システム管理装置３とＩＰネットワーク１を介して通信可能である。ここで、前述したように、ゲートウェイ装置２には、ＩＰ電話システム管理装置３のホスト名が記憶され、ＤＮＳサーバ６でＩＰアドレスの照合が行われる。また、この時点で、ゲートウェイ装置２のホスト名をＭＡＣアドレスとし、このホスト名をＤＮＳサーバ６に登録しておくことで、ＤＮＳサーバ６のダイナミックＤＮＳ機能により呼制御サーバ７にＩＰアドレスを通知することなく、ＭＧＣＰ（Media Gateway Control Protocol）プロトコルの呼制御を行うことが可能となる。
【００３２】
ゲートウェイ装置２からＩＰ電話システム管理装置３に対し、ＭＡＣアドレスおよびＩＰアドレスを通知する（ステップＳ１２）。ここで、ゲートウェイ装置２からＩＰ電話システム管理装置３に通知された情報は、ゲートウェイ装置２側の暗号鍵によって暗号化され（ステップＳ１２の処理）、ＩＰ電話システム管理装置３側で復号化される（ステップＳ３の処理）ようにすることで、ＩＰ電話システム管理装置３は、通知された情報の認証を行うことができ、端末の不正使用は防止される。
【００３３】
この後、ゲートウェイ装置２では、ＩＰ電話システム管理装置３からゲートウェイ番号、電話番号、詳細設定情報およびサービス利用許可が通知されるのを待ち、通知されると、加入者情報のレコードに通知された情報を登録するとともに、サービス利用許可を設定する（ステップＳ１３）。図７（Ｃ）には、加入者情報のレコードに、通知されたゲートウェイ番号、電話番号および詳細設定情報が登録されている。そして、本処理を終了する。
【００３４】
このように、本実施形態のＩＰ電話システムによれば、ゲートウェイ装置の設置作業を効率良く行うことができ、登録と同時に加入者がＩＰ電話システムのサービスを利用できる。また、加入者宅にパーソナルコンピュータが存在しない場合であっても、ゲートウェイ装置の加入者情報を自動登録することができる。また、数百から数万台の多数のゲートウェイ装置の加入者情報を設定する場合であっても、設置時の番号付与や対応付けの管理が容易になる。
【００３５】
また、ゲートウェイ装置がＤＨＣＰサーバからＩＰアドレスを取得し、ＤＨＣＰサーバと連携しているＤＮＳサーバのダイナミック機能を利用し、ＭＡＣアドレスをホスト名とするＥｎｄｐｏｉｎｔＩＤを設定することで、ＭＧＣＰ方式の呼制御を行うことができる。さらに、ゲートウェイ装置が情報を暗号化してＩＰ電話システム管理装置に送信し、ＩＰ電話システム管理装置が受信した情報を復号化することにより、ＩＰ電話システム管理装置は、ゲートウェイ装置から送信された情報に対する認証を行うことができる。
【００３６】
なお、本発明は、上述した実施形態の構成に限られるものではなく、特許請求の範囲で示した機能、または実施形態の構成が持つ機能が達成できる構成であればどのようなものであっても適用可能である。
【００３７】
例えば、上記実施形態では、バーコードリーダは、ＵＳＢやＲＳ−２３２Ｃ等のインタフェースを介してパーソナルコンピュータに接続されているが、ＩＰ電話システム管理装置に直接接続されてもよい。図８は本実施形態の変形例のＩＰ電話システムの構成を示すブロック図である。この変形例は、バーコードリーダがＩＰ電話システム管理装置に直接接続された場合の構成例である。この構成の場合、バーコードリーダで読み取られたデータは、ＩＰネットワークを経由することなくＩＰ電話システム管理装置に直接取り込まれる。
【００３８】
また、上記実施形態では、呼制御サーバは、ＩＰ電話システム管理装置とは独立に設置されていたが、ＩＰ電話システム管理装置内に設置してもよい。また、上記実施形態では、ゲートウェイ装置のＩＰアドレスをＤＨＣＰサーバから取得したが、予めゲートウェイ装置に固定的に設定しておいてもよい。
【産業上の利用可能性】
【００３９】
本発明は、接続装置の加入者情報を自動登録することで、その設置作業を効率良く行うことが可能となる効果、また、加入者情報の自動登録と同時に加入者がＩＰ電話のサービスを利用することが可能となる効果を有し、ネットワーク上で電話交換および音声伝送を行うＩＰ電話システム、およびその加入者情報登録方法等に有用である。
【図面の簡単な説明】
【００４０】
【図１】本発明の実施形態におけるＩＰ電話システムの構成を示すブロック図
【図２】本実施形態におけるＩＰ電話システム管理装置の構成を示すブロック図
【図３】本実施形態におけるゲートウェイ装置の構成を示すブロック図
【図４】本実施形態のＩＰ電話システム管理装置における加入者情報登録処理手順を示すフローチャート
【図５】本実施形態におけるＩＰ電話システム管理装置内のデータベースの登録内容を示す図
【図６】本実施形態におけるゲートウェイ装置の加入者情報登録処理手順を示すフローチャート
【図７】本実施形態におけるゲートウェイ装置の加入者情報記憶部に記憶された加入者情報の登録内容を示す図
【図８】本実施形態の変形例のＩＰ電話システムの構成を示すブロック図
【符号の説明】
【００４１】
１          ＩＰネットワーク
２          ＶｏＩＰゲートウェイ装置
３          ＩＰ電話システム管理装置
４          電話機
５          ＤＨＣＰサーバ
６          ＤＮＳサーバ
７          呼制御サーバ
８          パーソナルコンピュータ
９          バーコードリーダ
１１        データペース
１２、２２  送受信部
１３、２４  制御部
２１        加入者情報記憶部
２３        音声伝送部
【図１】
2006067273.tif 000003
【図２】
2006067273.tif 000004
【図３】
2006067273.tif 000005
【図４】
2006067273.tif 000006
【図５】
2006067273.tif 000007
【図６】
2006067273.tif 000008
【図７】
2006067273.tif 000009
【図８】
2006067273.tif 000010